(57)【要約】【課題】光ディスクや、ＨＤに読み書きするための複数の駆動部を備えた記録再生装置において、光ディスクのファイル情報（ディスク識別情報，タイトル情報など）を、ＨＤの所定領域に記憶して有し、そのファイル情報の一覧を表示する。【解決手段】記録再生装置１０は、ＨＤに読み書きするＨＤＤ１１、ＢＤに読み書きするＢＤドライブ１２、ＤＶＤに読み書きするＤＶＤドライブ１３、ファイル情報読込部１６、記録制御部１７、表示出力部１８を備え、表示装置２０と接続可能とする。記録再生装置１０は、ＢＤ又はＤＶＤに対してコンテンツの記録あるいは再生を行ったときに、当該ディスクの識別情報及び前記コンテンツのタイトル情報を少なくとも含むファイル情報を読み込み、そのファイル情報をＨＤＤ１１の所定領域に記録する。記録再生装置１０は、ユーザからの指示に従って、前記所定領域に記録されたファイル情報の一覧を表示装置１９に表示出力する。【選択図】図１
2006085821.tif 000002
【特許請求の範囲】
【請求項１】
記録媒体を着脱可能に装着し、該装着した記録媒体にコンテンツの読み書きを行う第１の駆動手段と、内蔵された他の記録媒体にコンテンツの読み書きを行う第２の駆動手段とを備えた記録再生装置において、前記記録媒体あるいは他の記録媒体に記録されているコンテンツを表示する表示装置と接続可能とし、前記記録媒体に対してコンテンツの記録あるいは再生を行ったときに、前記記録媒体の識別情報及び前記コンテンツのタイトル情報を少なくとも含む前記記録媒体のファイル情報を読み込むファイル情報読込手段と、該読み込んだファイル情報を前記他の記録媒体の所定領域に記録するように制御する記録制御手段と、ユーザからの指示に従って、前記所定領域に記録されているファイル情報の一覧を前記表示装置に表示出力する表示出力手段とを備えていることを特徴とする記録再生装置。
【請求項２】
請求項１に記載の記録再生装置において、前記記録媒体に記録されているコンテンツに関するキーワード情報を入力するためのキーワード情報入力手段と、該キーワード情報に該当するコンテンツを含む記録媒体を前記所定領域のファイル情報から検索する検索手段とを備え、前記表示出力手段は、前記検索手段による検索結果を、前記表示装置に表示出力することを特徴とする記録再生装置。
【請求項３】
請求項２に記載の記録再生装置において、前記キーワード情報入力手段は、前記キーワード情報として、前記記録媒体の種別情報，前記コンテンツのタイトル情報，前記記録媒体に記録した日時情報のいずれか１又は複数を少なくとも入力指定できるようにしたことを特徴とする記録再生装置。
【請求項４】
請求項１乃至３のいずれか１に記載の記録再生装置において、電源を入れたときに、既に前記第１の駆動手段に記録媒体が挿入されている場合、該記録媒体を優先して記録あるいは再生処理を行うことを特徴とする記録再生装置。
【請求項５】
請求項２に記載の記録再生装置において、該記録再生装置を遠隔操作するための操作入力手段を備え、前記表示出力手段は、前記操作入力手段からの操作指示に従って、前記キーワード情報入力手段の入力画面を前記表示装置に表示出力できるようにしたことを特徴とする記録再生装置。
【請求項６】
記録媒体を着脱可能に装着し、該装着した記録媒体にコンテンツの読み書きを行う第１の駆動手段と、内蔵された他の記録媒体にコンテンツの読み書きを行う第２の駆動手段とを備えた記録再生装置の記録媒体検索方法において、前記記録媒体に対してコンテンツの記録あるいは再生を行ったときに、前記記録媒体の識別情報及び前記コンテンツのタイトル情報を少なくとも含む前記記録媒体のファイル情報を読み込むステップと、該読み込んだファイル情報を前記他の記録媒体の所定領域に記録するステップと、ユーザからの指示に従って、前記所定領域に記録されているファイル情報の一覧を前記記録再生装置と接続された表示装置に表示出力するステップとを有することを特徴とする記録媒体検索方法。
【請求項７】
請求項６に記載の記録媒体検索方法において、前記記録媒体に記録されているコンテンツに関するキーワード情報を入力するステップと、該キーワード情報に該当するコンテンツを含む記録媒体を前記所定領域のファイル情報から検索するステップと、その検索結果を前記表示装置に表示出力するステップとを有することを特徴とする記録媒体検索方法。
【発明の詳細な説明】
【技術分野】
【０００１】
本発明は、記録再生装置及び記録媒体検索方法、より詳細には、ＨＤＤ一体型ＡＶレコーダなどの記録再生装置で録画された種々の記録ディスク（ＤＶＤ，ＢＤなど）のうち、見たいタイトルやディスクを検索する方法に関するものである。
【背景技術】
【０００２】
従来、ＨＤＤ一体型ＡＶレコーダには、録画・再生できるＤＶＤ（Digital-Versatile-Disk），ＣＤ系や、記録可能なディスク、再生専用のディスクに読み書きできる記録再生装置や、また、最近では、ＢＤ（Blu-ray-Disk）などを１つの筐体の中に内蔵する記録再生装置が増加している。ＨＤＤでは、ＨＤに録画されたタイトルやコンテンツをＨＤ内のファイル管理領域で管理するので問題ないが、ＤＶＤ，ＣＤ系ディスクや、ＢＤ系ディスクはリムーバブル記録ディスクであり、録画終了すれば、ディスクを筐体から排出し、保管しておくことになる。ＤＶＤ，ＣＤ系ディスクの場合、そのファイル管理はディスク１枚ごとに管理される。同様に、ＢＤ系ディスクのファイル管理も、ディスク１枚ごとに管理される。そのため、各々のドライブに各々１枚のディスクを挿入する分には問題ない。
【０００３】
しかしながら、ユーザが見たい、あるいは、追記したいディスクがどれであるかは、装置から排出されると、自分の記憶やラベルなどに頼らざるを得なくなり、ディスクが大量になると非常に無駄な時間をかけて探し出す必要がある。
【０００４】
ここで、再生専用のディスクだけでも、ＣＤ，ＤＶＤ，ＢＤ−ＲＯＭなどがあり、その記憶容量は、各々約６５０ＭＢ，約４．７ＧＢ（２層ディスクでは約８．５ＧＢ），約２５ＧＢ（２層では約５０ＧＢ）となる。このＢＤ１枚にはＣＤ約７７枚分の容量を記憶することができる。加えて、記録可能なディスクとしては、ＣＤ−Ｒ，ＣＤ−ＲＷ，ＤＶＤ−ＲＡＭ，ＤＶＤ−Ｒ，ＤＶＤ−ＲＷ，ＤＶＤ＋Ｒ，ＤＶＤ＋ＲＷなど、多種多様なディスクが存在する。このような環境下において、ユーザは所望のタイトルを探したい場合、例えば、多数のリムーバブル記録ディスクをＨＤＤ一体型ＡＶレコーダに１枚ずつ挿入し、タイトル画面を立ち上げた後、サムネイルでどれが必要なタイトルか長時間かけて手動で探す必要があった。また、ＣＤ系からＤＶＤ系、さらにＢＤ系へと大容量化し、その反面、大容量化すればするほど、必要なディスク、タイトル検索に無駄な時間をとってしまうことになる。従って、これらディスクの管理、タイトル管理を自動的に行い、所望のディスクを検索できるようにするための機能が必要とされる。
【０００５】
ここで、例えば、特許文献１には、記録媒体に記録されている全ての音楽データに対して特徴データにより検索を可能とした情報検索装置が開示されている。この情報検索装置は、音楽データをディスクに対し読み書きするドライブと、圧縮音楽データを一時保存する記録／再生用メモリと、再生を行う再生用伸張手段及び再生手段と、記録を行う圧縮手段と、特徴抽出のための特徴抽出用メモリと、特徴抽出用伸張手段及び特徴抽出手段と、記録／再生用メモリ及び特徴抽出用メモリの残量に基づいてドライブに対して音楽データの書き込みもしくは読み出しの制御を行うメモリ制御手段と、音楽データの特徴パラメータリストを読み出し更新する特徴パラメータリスト更新手段とを備え、再生時もしくは記録時に生じるディスクアクセスの間欠時間を、既に記録されている特徴未抽出の音楽データの読み出しに利用し、高速伸張して特徴抽出を行うことで、ディスク状記録媒体に記録されているすべての音楽データに対して特徴データによる検索を可能としたものである。
【特許文献１】特開２００１−１２６３９１号公報
【発明の開示】
【発明が解決しようとする課題】
【０００６】
しかしながら、上記特許文献１に記載の発明は、ディスク状記録媒体に記録されているすべての音楽データに対して特徴データによる検索を可能としたもので、ディスク状記録媒体が多数ある場合などに、所望の音楽データがどのディスクに含まれているのかを検索するものではない。従って、ユーザが所望するディスクがどれであるかは、装置から排出されると、自分の記憶やラベルなどに頼らざるを得なくなり、ディスクが多数になると非常に無駄な時間をかけて探し出す必要がある。
【０００７】
本発明は、上述のごとき実情に鑑みてなされたものであり、光ディスクなどのリムーバブル記録媒体や、ハードディスク（ＨＤ）に読み書きするための複数の駆動部を備えた記録再生装置において、リムーバブル記録媒体のファイル情報（記録媒体の識別情報や、コンテンツのタイトル情報など）を、ＨＤの所定領域に記憶して有し、ユーザからの指示に従って、記憶したファイル情報の一覧を表示することにより、所望のコンテンツを含むリムーバブル記録媒体を検索できるようにすること、を目的としてなされたものである。
【課題を解決するための手段】
【０００８】
上記課題を解決するために、本発明に係る第１の技術手段は、記録媒体を着脱可能に装着し、該装着した記録媒体にコンテンツの読み書きを行う第１の駆動手段と、内蔵された他の記録媒体にコンテンツの読み書きを行う第２の駆動手段とを備えた記録再生装置において、前記記録媒体あるいは他の記録媒体に記録されているコンテンツを表示する表示装置と接続可能とし、前記記録媒体に対してコンテンツの記録あるいは再生を行ったときに、前記記録媒体の識別情報及び前記コンテンツのタイトル情報を少なくとも含む前記記録媒体のファイル情報を読み込むファイル情報読込手段と、該読み込んだファイル情報を前記他の記録媒体の所定領域に記録するように制御する記録制御手段と、ユーザからの指示に従って、前記所定領域に記録されているファイル情報の一覧を前記表示装置に表示出力する表示出力手段とを備えていることを特徴としたものである。
【０００９】
第２の技術手段は、第１の技術手段において、前記記録媒体に記録されているコンテンツに関するキーワード情報を入力するためのキーワード情報入力手段と、該キーワード情報に該当するコンテンツを含む記録媒体を前記所定領域のファイル情報から検索する検索手段とを備え、前記表示出力手段は、前記検索手段による検索結果を、前記表示装置に表示出力することを特徴としたものである。
【００１０】
第３の技術手段は、第２の技術手段において、前記キーワード情報入力手段は、前記キーワード情報として、前記記録媒体の種別情報，前記コンテンツのタイトル情報，前記記録媒体に記録した日時情報のいずれか１又は複数を少なくとも入力指定できるようにしたことを特徴としたものである。
【００１１】
第４の技術手段は、第１乃至第３のいずれか１の技術手段において、電源を入れたときに、既に前記第１の駆動手段に記録媒体が挿入されている場合、該記録媒体を優先して記録あるいは再生処理を行うことを特徴としたものである。
【００１２】
第５の技術手段は、第２の技術手段において、該記録再生装置を遠隔操作するための操作入力手段を備え、前記表示出力手段は、前記操作入力手段からの操作指示に従って、前記キーワード情報入力手段の入力画面を前記表示装置に表示出力できるようにしたことを特徴としたものである。
【００１３】
第６の技術手段は、記録媒体を着脱可能に装着し、該装着した記録媒体にコンテンツの読み書きを行う第１の駆動手段と、内蔵された他の記録媒体にコンテンツの読み書きを行う第２の駆動手段とを備えた記録再生装置の記録媒体検索方法において、前記記録媒体に対してコンテンツの記録あるいは再生を行ったときに、前記記録媒体の識別情報及び前記コンテンツのタイトル情報を少なくとも含む前記記録媒体のファイル情報を読み込むステップと、該読み込んだファイル情報を前記他の記録媒体の所定領域に記録するステップと、ユーザからの指示に従って、前記所定領域に記録されているファイル情報の一覧を前記記録再生装置と接続された表示装置に表示出力するステップとを有することを特徴としたものである。
【００１４】
第７の技術手段は、第６の技術手段において、前記記録媒体に記録されているコンテンツに関するキーワード情報を入力するステップと、該キーワード情報に該当するコンテンツを含む記録媒体を前記所定領域のファイル情報から検索するステップと、その検索結果を前記表示装置に表示出力するステップとを有することを特徴としたものである。
【発明の効果】
【００１５】
光ディスクなどのリムーバブル記録媒体や、ハードディスク（ＨＤ）に読み書きするための複数の駆動部を備えた記録再生装置において、リムーバブル記録媒体のファイル情報（記録媒体の識別情報や、コンテンツのタイトル情報など）を、ＨＤの所定領域に記憶して有し、ユーザからの指示に従って、記憶したファイル情報の一覧を表示することにより、所望のコンテンツを含むリムーバブル記録媒体を容易に検索できるため、多数の光ディスクなどから、ユーザは所望のコンテンツをすぐに探し出すことができる。
【発明を実施するための最良の形態】
【００１６】
（第１の実施形態）
図１は、本発明の一実施形態に係る記録再生装置の構成例を示すブロック図で、図中、１０は記録再生装置で、該記録再生装置１０は、ＨＤＤ（ハードディスクドライブ）１１，ＢＤ（Blu-ray-Disk）ドライブ１２，ＤＶＤ（Digital-Versatile-Disk）ドライブ１３，操作パネル１４，制御信号入力部１５，ファイル情報読込部１６，記録制御部１７，表示出力部１８，リモコン１９を備え、液晶ディスプレイなどの表示装置２０と接続されている。本発明の記録再生装置１０は、内蔵したＨＤ（磁気ディスク）の記録／再生機能に加えて、ＢＤやＤＶＤなどの着脱可能な記録媒体の記録／再生機能を備えたＨＤＤ一体型ＡＶレコーダに好適に適用され、このＨＤＤ一体型ＡＶレコーダを代表例として以下に説明する。
【００１７】
図１において、ＨＤＤ１１は、記録再生装置１０に内蔵されたＨＤ（磁気ディスク）に読み書きするための駆動装置である。ＢＤドライブ１２は、例えば、ＢＤ−ＲＯＭ，ＢＤ−Ｒ，ＢＤ−ＲＥなどのＢＤ系記録メディアに読み書きするための駆動装置である。また、ＤＶＤドライブ１３は、例えば、ＤＶＤ−ビデオ，ＤＶＤ−オーディオ，ＤＶＤ−ＲＡＭ，ＤＶＤ−Ｒ，ＤＶＤ−ＲＷ、ＤＶＤ＋ＲＯＭ，ＤＶＤ＋Ｒ，ＤＶＤ＋ＲＷなどのＤＶＤ系記録メディアや、ＣＤ−ＭＡ，ＣＤ−ビデオ，ＣＤ−Ｒ，ＣＤ−ＲＷなどのＣＤ系記録メディアに読み書きするための駆動装置である。ここで、上記各ドライブにおける読み書き処理とは、記録媒体に情報を記録する処理、あるいは、記録媒体に記録されている情報を再生する処理のことをいう。
【００１８】
操作パネル１４は、記録再生装置１０が備える機能を制御するための制御信号を入力するための操作ボタン群や、リモコン１９などから上記制御信号を受信するための受光部などを備える。制御信号入力部１５は、操作パネル１４から入力された制御信号を、指定されたドライブ（ＨＤＤ１１又はＢＤドライブ１２又はＤＶＤドライブ１３）に出力する。制御信号が入力されたドライブ（本例ではＤＶＤドライブ１３）は、その制御信号によって指示される動作（記録、再生など）を行う。
【００１９】
ファイル情報読込部１６は、ＤＶＤドライブ１３に挿入されたＤＶＤに対してコンテンツの記録あるいは再生を行ったときに、ＤＶＤの識別情報（例えば、ディスク種別，ディスク番号など）及びそのコンテンツのタイトル情報を少なくとも含む上記ＤＶＤのファイル情報を読み込む。尚、このファイル情報には、コンテンツのサムネイル情報を含むようにしてもよい。記録制御部１７は、ファイル情報読込部１６が読み込んだファイル情報を、ＨＤＤ１１の所定領域（以下、ファイル情報記録領域という）に記録するように制御する。表示出力部１８は、ユーザからの指示に従って、ＨＤＤ１１のファイル情報記録領域に記録されているファイル情報の一覧を表示装置２０に表示出力する。
【００２０】
ＨＤＤ１１のファイル情報記録領域にファイル情報の一覧を表示させる処理について以下に説明する。
ユーザは、表示装置２０にファイル情報の一覧を表示させ、所望のコンテンツを検索したい場合、リモコン１９あるいは操作パネル１４に設けられた図示しない検索ボタンを押下する。この検索ボタンに応じた制御信号は、操作パネル１４から制御信号入力部１５に入力され、制御信号入力部１５から表示出力部１８に出力される。表示出力部１８は、この制御信号に従って、ＨＤＤ１１のファイル情報記録領域に記録されているファイル情報を読み出して、そのファイル情報の一覧を表示装置２０に表示出力する。
【００２１】
図１に示すファイル情報の一覧２１は、ＨＤＤ１１のファイル情報記録領域に記録されているファイル情報を、表示装置２０に一覧表示した例で、各ディスク（ＤＶＤ，ＣＤ，ＢＤなど）のファイル情報として、例えば、コンテンツのタイトル情報，ディスク種別，ディスク番号，記録年月日，図示しないサムネイル情報などを含むものとする。このファイル情報の一覧２１は、スクロール表示可能とし、ユーザは、所望のコンテンツをファイル情報の一覧２１から検索し、そのコンテンツに対応するディスク種別，ディスク番号を取得する。次に、ユーザは、取得したディスク番号のディスクを、そのディスクに対応するドライブに挿入して所望のコンテンツを視聴あるいはディスクに記録することができる。尚、ディスク番号は、予めディスクあるいはディスクのケースなどにユーザが見てわかるように明示しておく。
【００２２】
（第２の実施形態）
図２は、本発明の他の実施形態に係る記録再生装置の構成例を示すブロック図で、図中、１０は記録再生装置で、該記録再生装置１０は、ＨＤＤ１１，ＢＤドライブ１２，ＤＶＤドライブ１３，操作パネル１４，制御信号入力部１５，ファイル情報読込部１６，記録制御部１７，表示出力部１８，リモコン１９に加えて、さらに、キーワード情報入力部２３，ディスク検索部２４を備え、表示装置２０と接続されている。本実施形態に示す記録再生装置１０は、リモコン１９あるいは操作パネル１４の図示しない検索ボタンを押下することで、キーワード情報入力画面（検索画面）に切り替えて、キーワード情報を入力し、そのキーワード情報に一致あるいは部分一致したコンテンツを含むディスクをＨＤＤ１１のファイル情報記録領域から検索し、その検索結果を表示装置２０に表示出力するようにしたものである。尚、ＨＤＤ１１，ＢＤドライブ１２，ＤＶＤドライブ１３，制御信号入力部１５，ファイル情報読込部１６，記録制御部１７は、図１に示した記録再生装置１０と同様の構成となるため、ここでの説明は省略する。
【００２３】
図２において、キーワード情報入力部２３は、キーワード情報として、ディスクの種別情報（ＤＶＤなど），コンテンツのタイトル情報，ディスクに前回記録した日時情報のいずれか１又は複数を少なくとも入力指定できるようにしている。
【００２４】
ユーザは、所望のコンテンツを含むディスクを検索したい場合、リモコン１９あるいは操作パネル１４に設けられた図示しない検索ボタンを押下する。この検索ボタンに応じた制御信号は、操作パネル１４から制御信号入力部１５に入力され、制御信号入力部１５から表示出力部１８に出力される。表示出力部１８は、この制御信号に従って、キーワード情報入力画面を表示装置２０に表示出力する。次に、ユーザは、キーワード情報入力画面に対してキーワード情報を入力する。このキーワード情報の入力は、リモコン１９あるいは操作パネル１４を用いて行うことができる。キーワード情報入力部２３は、操作パネル１４からのキーワード情報をディスク検索部２４に出力する。ディスク検索部２４は、入力されたキーワード情報に一致あるいは部分一致したコンテンツを含むディスクをＨＤＤ１１のファイル情報記録領域から検索し、その検索結果を表示出力部１８から表示装置２０に表示出力する。
【００２５】
図２に示す検索結果２２は、ＨＤＤ１１のファイル情報記録領域に記録されているファイル情報から検索した結果を、表示装置２０に一覧表示した例で、各ディスク（ＤＶＤ，ＣＤ，ＢＤなど）のファイル情報として、例えば、コンテンツのタイトル情報，ディスク種別，ディスク番号，記録年月日，図示しないサムネイル情報などを含むものとする。この検索結果２２は、検索結果が複数ある場合にはスクロール表示可能とし、ユーザは、所望のコンテンツを検索結果２２から特定し、そのコンテンツに対応するディスク種別，ディスク番号を取得する。次に、ユーザは、取得したディスク番号のディスクを、そのディスクに対応するドライブに挿入して所望のコンテンツを視聴することができる。このように、ユーザがタイトル（コンテンツ）を再生したい、あるいは、以前録画したタイトルの後ろに続けて録画したいときなどに、コンテンツに関連するキーワード情報を入力し、ＨＤＤ１１のファイル情報記録領域のファイル情報から検索し、その結果を表示することができるため、ユーザは容易に必要なディスクを探し出すことができる。
【００２６】
また、ＨＤＤ１１のファイル情報記録領域に記録されているファイル情報は、過去のタイトル番号や、タイトル情報を含み，また、タイトル，時間，チャンネル番号などがコードデータとして含まれているため、これらをキーワード情報として入力することで、簡単にディスク検索を行うことができる。
【００２７】
また、第１の実施形態及び第２の実施形態では、電源を入れたときに、既にＢＤドライブ１２あるいはＤＶＤドライブ１３に記録ディスクが挿入されているかどうかにかかわらず、記録ディスクの検索処理を実行できるようにしているが、既にＢＤドライブ１２あるいはＤＶＤドライブ１３に記録ディスクが挿入されている場合、その記録ディスクを優先して記録あるいは再生処理を行うようにしてもよい。
【００２８】
図３は、本発明の記録再生装置１０が備えるＨＤＤ１１，ＢＤドライブ１２，ＤＶＤドライブ１３の一例を示す図で、記録再生装置１０は、ＨＤＤ１１，ＢＤドライブ１２，ＤＶＤドライブ１３の各ドライブに加えて、電源２５，筐体２６を備え、表示装置２０と接続されている。リムーバブル記録ディスク２７は、ＢＤ系やＤＶＤ系などの着脱可能な記録ディスクで、対応するドライブに挿入して記録あるいは再生を行うことができる。ＨＤＤ１１は、ファイル管理領域１１ａ，ファイル情報記録領域１１ｂを有している。記録再生装置１０は、リムーバブル記録ディスク２７に含まれる各記録ディスクのファイル情報をファイル情報記録領域１１ｂに記録し、ＨＤＤ１１のファイル情報をファイル管理領域１１ａに記録して、各ディスクに対応したファイル管理を行う。
【００２９】
図４は、本発明が適用される記録再生装置１０の記録媒体検索方法の一例を説明するためのフロー図である。本例は、図１に示した記録再生装置１０の構成に基づいて説明するものとする。まず、記録再生装置１０は、記録ディスクへの記録又は再生を行い（ステップＳ１）、記録ディスクのファイル情報を読み込み、ＨＤＤ１１のファイル情報記録領域に記録しておく（ステップＳ１）。次に、記録再生装置１０は、記録ディスクを検索する処理を開始する（ステップＳ１１）。これは、ユーザがリモコン１９あるいは操作パネル１４が備える図示しない検索ボタンの押下を判断することで行う。ＨＤＤ１１のファイル情報記録領域からファイル情報を読み込み（ステップＳ１２）、読み込んだファイル情報の一覧を表示画面に表示させる（ステップＳ１３）。次に、ユーザは、表示画面をスクロールさせて、所望のタイトル，サムネイルなどを探し（ステップＳ１４）、検索したタイトルを含む目的の記録ディスクをＢＤドライブ１２又はＤＶＤドライブ１３に挿入する（ステップＳ１５）。
【００３０】
尚、本発明の記録再生装置は、上記した各実施の形態に限定されるものではなく、本発明の要旨を逸脱しない範囲内において種々変更を加え得ることは勿論である。例えば、ドライブの種類や数は、ＨＤＤ，ＤＶＤドライブ，ＢＤドライブの３つに限らず、いずれか２つ以上の組み合わせとしてもよく、同種のドライブを組み合わせてもよい。さらには、これらＤＶＤやＢＤ以外にも、メモリカードやリムーバブルハードディスクなどの他の着脱可能な記録媒体に適用してもよい。
【図面の簡単な説明】
【００３１】
【図１】本発明の一実施形態に係る記録再生装置の構成例を示すブロック図である。
【図２】本発明の他の実施形態に係る記録再生装置の構成例を示すブロック図である。
【図３】本発明の記録再生装置が備えるＨＤＤ，ＢＤドライブ，ＤＶＤドライブの一例を示す図である。
【図４】本発明が適用される記録再生装置の記録媒体検索方法の一例を説明するためのフロー図である。
【符号の説明】
【００３２】
１０…記録再生装置、１１…ＨＤＤ、１２…ＢＤドライブ、１３…ＤＶＤドライブ、１４…操作パネル、１５…制御信号入力部、１６…ファイル情報読込部、１７…記録制御部、１８…表示出力部、１９…リモコン、２０…表示装置、２１…ファイル情報の一覧、２２…検索結果、２３…キーワード情報入力部、２４…ディスク検索部、２５…電源、２６…筐体、２７…リムーバブル記録ディスク。
【図１】
2006085821.tif 000003
【図２】
2006085821.tif 000004
【図３】
2006085821.tif 000005
【図４】
2006085821.tif 000006